(57)【要約】【課題】介護用ベッドに使用するスプリングマットレスにおいて、第１に床ずれの発生及び第２に曲がりにくい利用者の腹部を圧迫する作用の回避である。【解決手段】多数のスプリングをヘリカルスプリングで並列連結して構成したスプリングユニットと、このスプリングユニットの上下面に重合された半硬質の保護層とで第１のクッション体を構成し、第１のクッション体の上面に厚さ方向に多数の通気孔を設けた低反発の発泡弾性体とでなる第２のクッション体を重合し、上記第１と第２のクッション体とを少なくともマットレスの鏡部には立体メッシュ編物でなる三層立体布地を使用した外装体で被覆し、ベッド床板の背上げ床板と固定床板との間の回動部分に対応する箇所を境にして第１のクッション体とそれを被覆する外装体は背上げ部と他の部分にほぼ分断されており、スプリングユニットの背上げ部分は独立に起き上がるように構成した。【選択図】図１
2005052434.tif 000002
【特許請求の範囲】
【請求項１】
多数のコイルスプリングをヘリカル線で並列連結して構成したスプリングユニットと、このスプリングユニットの上下面に重合された半硬質の保護層とで第１のクッション体を構成し、第１のクッション体の上面に厚さ方向に多数の通気孔を設けた低反発の発泡弾性体とでなる第２のクッション体を重合し、上記第１と第２のクッション体とを少なくともマットレスの鏡部には立体メッシュ編物でなる三層立体布地を使用した外装体で被覆し、ベッド床板の背上げ床板と固定床板との間の回動部分に対応する箇所を境に第１のクッション体と、それを被覆する外装体は背上げ部分と他の部分とにほぼ分断されており、背上げ部分は独立して起き上がることを特徴とするマットレス装置。
【請求項２】
第２のクッション体の厚さ寸法は、第１のクッション体の厚さ寸法の略二分の一の厚さであることを特徴とする請求項１記載のベッド装置。
【発明の詳細な説明】
【技術分野】
【０００１】
本発明は、複数の床板を有し、一部の床板が上昇することにより利用者の背上げが可能な構造のベッドに対応するもので、体圧分散と通気性を確保しうるスプリングマットレスに関するものである。
【背景技術】
【０００２】
一般にマットレス装置は、スプリングユニットを有し、このスプリングユニットの上下面にサイザルパッドや硬綿からなる保護層とウレタンフォームや綿などの利用者の感触を良好にし,保温の役目のある弾性層を重合し、この重合体を外装体で被覆して構成されている。通常、介護用マットレスとして使用されるものとしては積層した綿材を蛇腹状に折り畳んでマットレスとして使用するものが多い、これは介護用ベッドの背上げ床板と固定床板との回動部分でマットレスが折り曲がるのが多いためであって、通気性や耐久性、利用者の体重を支持する点ではスプリングユニットによるマットレスのほうが優れているものである。
【０００３】
しかし、スプリングユニットによるマットレスの第１の問題点は、利用者の重たい部分，例えば臀部がスプリングユニットを変形させて沈むために、その部分で反発力が発生することになることであり、二つの問題点は、スプリングユニットは曲がりにくいので、介護ベッドのようにマットレスを背上げする場合には、マットレスの下面に位置するスプリングは引き伸ばして変形させるが、上面では折り曲げ部を縮める必要があり、利用者の腹部を圧迫して苦しさを感じさせる欠点があることである。
【０００４】
上記のスプリングユニットの反発力は寝たきりの利用者には臀部や突出した部位には床ずれが発生しやすくなるものであった。
【０００５】
この第１の問題点の床ずれの改善策として、上記弾性層に荷重に対し反発力は発生しにくい低反発ウレタンフォーム、発泡ゴムなどの反発力の小さい発泡弾性材を用いることが検討されている。この低反発の発泡弾性材は利用者の体重が加わると、身体の凹凸に応じて緩やかに沈んで身体を支持するために利用者の重たい部分に反発力が集中しがたく体圧を分散させる効果がある。その結果、寝たきりの人には床ずれが発生しにくい利点がある。
【０００６】
しかしながら、低反発の発泡弾性材料,例えば低反発ウレタンフォームは、綿やサイザルに比較すると通気性に難があり、利用者の背部の位置で、材料表面に湿気と熱がこもるおそれがあり、これが床ずれ発生の一因であった。
【０００７】
ところで、一般的なマットレスを通気性を良好にするものとして、マットレスの鏡面に三層立体布地を外装体として採用するものが知られている。この三層立体布は上面メッシュと下面メッシュとを連結糸で内部空間を有するように形成されたものである。
【特許文献１】実用新案登録第２５４１１４８号公報
【０００８】
上記の第２の問題点のスプリングユニットが折れ曲がるときに利用者の腹部を圧迫する点については、ベッドの曲がる部分の床板を大きく湾曲させるとか、背上げ床板と腰部の固定床板の連結箇所を下方向に逃がすことによりマットレスを折り曲げる曲線を大きくして腹部の圧迫を避けることが知られている。
【発明の開示】
【発明が解決しようとする課題】
【０００９】
解決しようとする問題点は、介護用ベッドに使用するスプリングマットレスにおいて、第１に床ずれの発生及び第２に曲がりにくい利用者の腹部を圧迫する作用の回避である。
【課題を解決するための手段】
【００１０】
本発明は、利用者の床ずれを防ぐために低反発の発泡弾性材を第２のクッション体として使用し、第２のクッション体の上面に三層立体布地を使用し、マットレス装置の第２のクッション体とその部分の外装体を残して、第１のクッション体とその部分の外装体をベッド床板の背上げ床板と固定床板との回動する連結箇所を境にして分断したことを最も主要な特徴とする。
【００１１】
上記第２のクッション体２の厚さ寸法は、第１のクッション体１の厚さ寸法の略二分の一程度が好ましい。この場合には、体重分散はより効果的である。
【発明の効果】
【００１２】
本発明のマットレス装置は、第２のクッション体に低反発の発泡弾性体を使用して体圧分散を行い、外装体にはマットレス装置の鏡部には立体メッシュ編物でなる三層立体布地を使用して通気性を良好にして床ずれが発生しにくいものとし、第２のクッション体を除き第１のクッション体をベッドの床板の回動箇所に沿ってマットレス装置の長手方向で背上げ部分を他の部分より分断しているので利用者の腹部を圧迫しないで背上げする利点がある。
【発明を実施するための最良の形態】
【００１３】
床ずれの発生予防と折り曲げ易いマットレス装置を、低反発の発泡弾性材と三層立体布地の外装体と、スプリングユニットと外装体を背上げ部分で分断することにより実現した。
【００１４】
以下図面を参照しながらこの発明の一実施の形態を説明する。図１は、本発明によるマットレス装置の側面図で一部を切り欠いて内部断面を示している。このマットレス装置はスプリングユニット１１と保護層１２でなる第１のクッション体１と、低反発の発泡ウレタンフォーム２１でなる第２のクッション体２と、これらを被覆する立体メッシュ編物の三層立体布地３１を含む外装体３でなる。
【００１５】
スプリングユニット１１は、図３、図４に示すように、多数のコイルスプリング１１ａを行列状に配置した連続スプリングで、隣り合うコイルスプリング１１ａ同士をそのスプリング一端を相互に絡み合わせて結合し、コイルスプリング１１ａの上下端面部をそれぞれヘリカル線１１ｂによって結合し、結合した多数のコイルスプリング１１ａの集合体の上下面周縁部には周辺部を補強したり、形状を維持するために硬い線材に形成された枠線１１ｃを設けている。
【００１６】
スプリングユニット１１は、上記の床板４の連結箇所に対応して屈曲しやすいように、隣り合うコイルスプリング１１ａ同士の絡み合いを解除し、あるいはヘリカル線１１ｂによる連結を省略し、またスプリングユニット１１の形状を維持する為の枠線１１ｃも除いて、分断箇所Ｃを形成している。図５で示すスプリングユニット１１の平面図は、上半分の符号(ａ)が図６の上面で、下半分の符号(ｂ)が図６の下面を表している。
【００１７】
スプリングユニット１１の上下面には硬綿,サイザル繊維の半硬質材料でなる保護層１２が重合されており、端部ではクリップ１３で枠線１１ｃに固定している。スプリングユニット１１の分断箇所Ｃでは下面側の保護層１２はヘリカル線１１ｂを覆ってコイルスプリング１１ａの一端にクリップ１４で固定している。すなわち、スプリングユニット１１と保護層１２の下面側は図１に示すように左右に分かれ背上げ部分Ｄは他の部分Ｅとは独立して起き上がり易いものになり、利用者の腹部を圧迫することがない。
【００１８】
図７は介護ベッドの床板４とスプリングユニット１１の関連を示す説明図であるが、通常介護ベッドの床板４は複数に分割されており、背上げ床板４１、４２、固定床板４３と脚部床板４４、４５でなり、背上げ床板４１、４２は固定床板４３に対し回動可能に連結されており、脚部床板４４，４５も同様に固定床板４３に対し回動可能に連結されている。
【００１９】
背上げ床板４１と４２と固定床板４３との連結部分は回動自在であり、この連結部分に対応するスプリングユニット１１の位置が分断箇所Ｃになる。分断箇所Ｃでは外装体３ｄがスプリングユニット１１の断面を被覆している。マットレス装置を背上げ状態にするため背上げ床板４１，４２を回動したとき、分断箇所Ｃが拡開するので利用者の背面と当接する側を圧縮しないので、利用者の腹部が圧迫されることがない。
【００２０】
外装体３は、第１のクッション体１と、第２のクッション体２を被覆しており、上面鏡部３ａとマチ部３ｂと下面鏡部３ｃとスプリングユニット１１の分断箇所Ｃを塞ぐ連結部３ｄでなり、各々をエッジテープ５で縫合して箱状体を形成している。
【００２１】
上面鏡部３ａは軟質のウレタンフォームと三層立体布地３１をキルティング縫製したもので、三層立体布地３１は、上面メッシュ地３１ａと下面メッシュ地３１ｂとを布地の厚さ方向で平行する連結糸３１ｃで適当な間隔をもって一体となるように弾性を有して連結され、上面メッシュ地３１ａと下面メッシュ地３１ｂとの間には空間３１ｄを有するように形成されている。この空間３１ｄが通気性を良好に維持しているものである。
【００２２】
第２のクッション体２は、厚さ方向に多数の通気孔２２を設けた低反発のウレタンフォーム２１を使用しており第１のクッション体１の保護層１２の上面に載置されている。この低反発のウレタンフォーム２１の厚さ寸法はスプリングユニット１１の厚さ寸法の略二分の一程度の厚さを有し、体圧を分散する効果を大きくしている。
【００２３】
このように、多数のスプリングをヘリカル線で並列連結して構成したスプリングユニットと、このスプリングユニットの上下面に重合された半硬質の保護層とで第１のクッション体を構成し、第１のクッション体の上面に厚さ方向に多数の通気孔を設けた低反発の発泡弾性体とでなる第２のクッション体を重合し、上記第１と第２のクッション体とを少なくともマットレスの鏡部には立体メッシュ編物でなる三層立体布地を使用した外装体で被覆し、ベッド床板の背上げ床板と固定床板との間の回動部分に対応する箇所で第１のクッション体の大部分と、それを被覆する外装体は背上げ部Ｄと他の部分Ｅに分断して構成したから、利用者の腹部を圧迫することなく、体圧分散性能を良好にし、床ずれの発生しにくい、介護ベッドの床板に載置することに適したマットレス装置を提供できる。
【００２４】
この実施例では低反発の発泡弾性材として低反発ウレタンフォームを使用しているが、低反発のゴム発泡体であってもよい。
【図面の簡単な説明】
【００２５】
【図１】本発明に係るマットレスの一部を切り欠いて示す側面図である。
【図２】本発明に係るマットレスの一部を切り欠いて示す平面図である。
【図３】図１のＡ−Ａ線部分の拡大図。
【図４】図１のＢ−Ｂ線部分の拡大図。
【図５】スプリングユニットの平面図。
【図６】スプリングユニットの側面図。
【図７】ベッド床板とスプリングユニットの関係を示す説明図。
【図８】三層立体布地の説明図。
【符号の説明】
【００２６】
１    第１のクッション体
１１    スプリングユニット
１１ａ  コイルスプリング
１１ｂ  ヘリカル線
１１ｃ  枠線
１２    保護層
２    第２のクッション体
２１    低反発ウレタンフォーム
２２    通気孔
３    外装体
３ａ   上面鏡部
３ｂ    マチ部
３ｃ    下面鏡部
３ｄ    連結部
３１    三層立体布地
３１ａ  上面メッシュ地
３１ｂ  下面メッシュ地
３１ｃ  連結糸
３１ｄ  空間
４    床板
５    エッジテープ
Ｄ      背上げ部分
Ｅ      他の部分
【図１】
2005052434.tif 000003
【図２】
2005052434.tif 000004
【図３】
2005052434.tif 000005
【図４】
2005052434.tif 000006
【図５】
2005052434.tif 000007
【図６】
2005052434.tif 000008
【図７】
2005052434.tif 000009
【図８】
2005052434.tif 000010